(57)【要約】  異種ネットワークにおける周波数間のセル発見（inter-frequency cell discovery）の間にユーザ端末機（ＵＥ）のバッテリー電力消費を最小化する方法及びシステムが開示される。ＵＥは、上記ネットワークから明示された周波数に対するバックグラウンドスキャン構成を受信し、周波数間のセルを検出するために上記バックグラウンドスキャンを実行する。ＵＥは、不連続受信サイクルの非活性化時間の間に上記バックグラウンドスキャン構成で示される周波数で周波数間のセルを検出する。また、ＵＥは、上記検出されたセルの物理セル識別子を上記ネットワークに示す。その後に、ＵＥは、前に提供されたノーマル測定ギャップを活性化させるか、あるいは、上記ネットワークは、前に提供されていない場合にＵＥに対するノーマル測定ギャップを構成する。さらに、ＵＥは、上記検出されたセルの基準信号受信電力（ＲＳＲＰ）及び基準信号受信品質（ＲＳＲＱ）は、上記測定報告イベント条件が満足する場合に、そのような測定を上記ネットワークに報告し、上記ネットワークは、上記検出されたセルにＵＥをハンドオーバさせる。
2015509688.tif 000002
【特許請求の範囲】
【請求項１】
異種ネットワークにおける周波数間のセル検出の間に無線リソース制御（ＲＲＣ）接続モードでユーザ端末機（ＵＥ）のバッテリー電力消費を最小化するネットワークであって、
前記ネットワークは、
セル密度に基づいてバックグラウンドスキャン構成を前記ユーザ端末機に送信することを決定し、
前記ユーザ端末機のための少なくとも１つの構成された周波数に対する前記バックグラウンドスキャン構成を提供することにより、不連続受信（ＤＲＸ）サイクルの非活性化時間の間に前記構成された周波数でセル探索を開始し、
バックグラウンドスキャンに対して構成された前記構成された周波数で少なくとも１つの検出されたセルの物理セル識別子（ＰＣＩ）を前記ユーザ端末機から受信し、
測定構成で前に提供されていない場合にノーマル測定ギャップを使用して前記ユーザ端末機を再構成し、
バックグラウンドスキャンのために構成された前記構成された周波数で前記ユーザ端末機による少なくとも１つの検出されたセルの物理セル識別子を受信する場合に、前記少なくとも１つの構成された周波数に対する測定報告イベント条件を送信し、
測定報告イベント条件の満足に基づいて前記構成された周波数で前記検出されたセルへの前記ユーザ端末機のハンドオーバを実行するように構成され、
前記構成された周波数は、サービング周波数以外の周波数であることを特徴とする異種ネットワークにおける周波数間のセル検出の間に無線リソース制御接続モードでユーザ端末機のバッテリー電力消費を最小化するネットワーク。
【請求項２】
前記ネットワークは、
前記バックグラウンドスキャンをトリガーするように決定するために示されたしきい値及び事前構成されたしきい値の中の少なくとも１つに基づいて前記ユーザ端末機に規則の集合を提供するように構成され、
前記規則は、ユーザ端末機速度及び位置識別子（ＩＤ）の中の少なくとも１つを含むことを特徴とする請求項１に記載の異種ネットワークで周波数間のセル検出の間に無線リソース制御接続モードでユーザ端末機のバッテリー電力消費を最小化するネットワーク。
【請求項３】
前記バックグラウンドスキャン構成は、前記不連続受信サイクルの非活性化時間の間に前記少なくとも１つの構成された周波数に対して前記セル探索を明示されたスキャン周期で開始する前記ユーザ端末機を示すことを含むことを特徴とする請求項１に記載の異種ネットワークにおける周波数間のセル検出の間に無線リソース制御接続モードでユーザ端末機のバッテリー電力消費を最小化するネットワーク。
【請求項４】
前記ネットワークは、前記バックグラウンドスキャン構成をブロードキャストメッセージ及び無線リソース制御（ＲＲＣ）接続再構成メッセージの中の少なくとも１つを使用して前記ユーザ端末機に提供するように構成されることを特徴とする請求項１に記載の異種ネットワークにおける周波数間のセル検出の間に無線リソース制御接続モードでユーザ端末機のバッテリー電力消費を最小化するネットワーク。
【請求項５】
前記バックグラウンドスキャン構成は、バックグラウンドスキャン指示子、スキャンの周期性、前記構成された周波数でのセルの密度、バックグラウンドスキャンのための周波数のリスト、緩和された検出許容指示子、及び前記セル検出時間と関連したスケーリングファクターの中の少なくとも１つを有し、
前記周波数のリストは、第３世代パートナーシッププロジェクト（３ＧＰＰ）無線アクセス技術（ＲＡＴ）に属している無線アクセス技術及び非３ＧＰＰ無線アクセス技術の中の少なくとも１つに基づくセル配置の少なくとも１つの周波数階層を示すことを特徴とする請求項３に記載の異種ネットワークにおける周波数間のセル検出の間に無線リソース制御接続モードでユーザ端末機のバッテリー電力消費を最小化するネットワーク。
【請求項６】
前記ネットワークは、近接指示メッセージ及び前記無線リソース制御接続再構成メッセージの中のの少なくとも１つを使用して前記構成された周波数で前記少なくとも１つの検出されたセルの物理セル識別子（ＰＣＩ）を受信するように構成されることを特徴とする請求項４に記載の異種ネットワークにおける周波数間のセル検出の間に無線リソース制御接続モードでユーザ端末機のバッテリー電力消費を最小化するネットワーク。
【請求項７】
前記ネットワークは、前記ユーザ端末機のハンドオーバを実行するように構成され、前記ユーザ端末機は、前記測定報告イベント条件の満足の時に基準信号受信電力（ＲＳＲＰ）及び基準信号受信品質（ＲＳＲＱ）測定に基づいて前記構成された周波数で前記検出されたセルにハンドオーバされることを特徴とする請求項１に記載の異種ネットワークにおける周波数間のセル検出の間に無線リソース制御接続モードでユーザ端末機のバッテリー電力消費を最小化するネットワーク。
【請求項８】
異種ネットワークにおける無線リソース制御（ＲＲＣ）接続モードでの周波数間のセル検出のためのユーザ端末機（ＵＥ）であって、
少なくとも１つのプロセッサと集積回路内のコンピュータプログラムコードを有する少なくとも１つのメモリとを含む前記集積回路を有し、
前記少なくとも１つのメモリ及び前記少なくとも１つのプロセッサを有する前記コンピュータプログラムコードが、
前記ユーザ端末機が前記ネットワークから少なくとも１つの構成された周波数に対するバックグラウンドスキャン構成を受信することにより不連続受信（ＤＲＸ）サイクルの非活性化時間の間に前記構成された周波数でセル探索を開始するようにし、
前記ユーザ端末機が前記バックグラウンドスキャン構成を使用して前記構成された周波数で前記少なくとも１つのセルを検出するようにし、
前記ユーザ端末機が前記構成された周波数で前記少なくとも１つの検出されたセルの物理セル識別子（ＰＣＩ）を前記ネットワークに示すようにし、
前記ユーザ端末機が前記ネットワークによりあらかじめ構成される場合にノーマル測定ギャップを活性化させるようにし、
前記ユーザ端末機が前記構成された周波数に対する測定報告イベント条件を前記ネットワークから受信するようにし、
前記構成された周波数は、サービング周波数以外の周波数であることを特徴とする異種ネットワークにおける無線リソース制御接続モードでの周波数間のセル検出のためのユーザ端末機。
【請求項９】
前記ユーザ端末機は、前に構成されていない場合に、前記ノーマル測定ギャップを前記ネットワークから受信するように構成されることを特徴とする請求項８に記載の異種ネットワークにおける無線リソース制御接続モードでの周波数間のセル検出のためのユーザ端末機。
【請求項１０】
前記ユーザ端末機は、前記バックグラウンドスキャン構成を受信する場合に、明示されたスキャン周期性で前記不連続受信サイクルの非活性化時間の間に少なくとも１つの構成された周波数に対する前記セル探索をトリガーするように構成されることを特徴とする請求項８に記載の異種ネットワークにおける無線リソース制御接続モードでの周波数間のセル検出のためのユーザ端末機。
【請求項１１】
前記バックグラウンドスキャン構成は、バックグラウンドスキャン指示子、スキャンの周期性、前記構成された周波数でのセルの密度、バックグラウンドスキャンのための周波数のリスト、緩和された検出許容指示子、及び前記セル検出時間と関連したスケーリングファクターの中の少なくとも１つを有し、
前記周波数のリストは、第３世代パートナーシッププロジェクト（３ＧＰＰ）無線アクセス技術（ＲＡＴ）に属している無線アクセス技術及び非３ＧＰＰ無線アクセス技術の中の少なくとも１つに基づくセル配置の少なくとも１つの周波数階層を示すことを特徴とする請求項１０に記載の異種ネットワークにおける無線リソース制御接続モードでの周波数間のセル検出のためのユーザ端末機。
【請求項１２】
前記ユーザ端末機は、前記バックグラウンドスキャン構成を前記ネットワークから受信する場合に、前記不連続受信サイクルの非活性化時間の間に周波数間のロングタームエボリューション（ＬＴＥ）ピコセル及びＲＡＴ間のセルの中の少なくとも１つに対するスキャニングをトリガーするように構成されることを特徴とする請求項１０に記載の異種ネットワークにおける無線リソース制御接続モードでの周波数間のセル検出のためのユーザ端末機。
【請求項１３】
前記ユーザ端末機は、前記緩和された検出許容指示子を通して前記構成された周波数で前記少なくとも１つのセルを検出するために必要とされる最小時間を緩和させることにより、ノーマル測定ギャップを使用して周波数間のロングタームエボリューション（ＬＴＥ）ピコセル及びＲＡＴ間のセルの中の少なくとも１つに対するスキャニングをトリガーするように構成されることを特徴とする請求項１１に記載の異種ネットワークにおける無線リソース制御接続モードでの周波数間のセル検出のためのユーザ端末機。
【請求項１４】
前記ユーザ端末機は、前記緩和された検出許容指示子及び前記スケーリングファクターを通して前記構成された周波数で許容される前記セル検出時間での緩和を明示するように構成されることを特徴とする請求項１３に記載の異種ネットワークにおける無線リソース制御接続モードでの周波数間のセル検出のためのユーザ端末機。
【請求項１５】
前記ユーザ端末機は、前記構成された周波数で少なくとも１つの検出されたセルの前記物理セル識別子（ＰＣＩ）を識別するように構成され、
前記ユーザ端末機は、前記少なくとも１つの検出されたセルを前記ネットワークに示すように構成されることを特徴とする請求項８に記載の異種ネットワークにおける無線リソース制御接続モードでの周波数間のセル検出のためのユーザ端末機。
【請求項１６】
前記ユーザ端末機は、近接指示メッセージ及び無線リソース制御メッセージの中の少なくとも１つを通して前記構成された周波数で前記少なくとも１つの検出されたセルを前記ネットワークに示すように構成されることを特徴とする請求項８に記載の異種ネットワークにおける無線リソース制御接続モードでの周波数間のセル検出のためのユーザ端末機。
【請求項１７】
前記ユーザ端末機は、前記構成された周波数で前記少なくとも１つの検出されたセルの基準信号受信電力（ＲＳＲＰ）及び基準信号受信品質（ＲＳＲＱ）測定を実行するために前に提供された前記ノーマル測定ギャップを活性化させる場合に、前記不連続受信サイクルの非活性化時間の間に前記バックグラウンドスキャンを停止させるように構成されることを特徴とする請求項８に記載の異種ネットワークにおける無線リソース制御接続モードでの周波数間のセル検出のためのユーザ端末機。
【請求項１８】
前記ユーザ端末機は、前記構成された周波数で前記少なくとも１つの検出されたセルの基準信号受信電力（ＲＳＲＰ）及び基準信号受信品質（ＲＳＲＱ）測定を実行するために、前に提供されていない前記ノーマル測定ギャップを受信する場合に、前記不連続受信サイクルの非活性化時間の間に前記バックグラウンドスキャンを停止させるように構成されることを特徴とする請求項８に記載の異種ネットワークにおける無線リソース制御接続モードでの周波数間のセル検出のためのユーザ端末機。
【請求項１９】
請求項１乃至請求項７の中の１つのネットワーク構成を実行することに適合した方法。
【請求項２０】
請求項８乃至請求項１８の中の１つのユーザ端末機構成を実行することに適合した方法。
【発明の詳細な説明】
【技術分野】
【０００１】
本発明は、異種ネットワーク（heterogeneous network）に関し、より詳細には、異種ネットワーク配置において、周波数間のピコセル発見（inter-frequency pico cell discovery）の間にユーザ端末機（User Equipment：ＵＥ）のバッテリー電力消費を最小化する方法及びシステムに関するものである。
【背景技術】
【０００２】
無線通信システムにおいて、ユビキタスカバレッジ（ubiquitous coverage）は、セルラーオペレータのための基本的な要求事項である。無線通信システムは、基本的に、セルの同種（homogenous）及び異種配置を含む。同種配置では、均一なセルサイズ又はカバレッジ領域が存在し、他方、異種ネットワークの場合において、セルサイズは、異なるタイプのセルの配置に従って変わる。異種配置トポロジー（topology）は、地理学的な領域内で高電力マクロｅＮｏｄｅ−Ｂ（ｅＮＢ）によりサービスされる混合セル（mixed cell）及び低電力ピコ（pico）又はフェムト（femto）ｅＮＢ又はリレーノード（relay node）を含む。
【０００３】
ＬＴＥシステムにおいて、進化した汎用地上無線アクセスネットワーク（evolved universal terrestrial radio access network：Ｅ−ＵＴＲＡＮ）は、複数の進化したＮｏｄｅ−Ｂ（evolved Node-B：ｅＮＢ）を含み、ユーザ端末機（User Equipment：ＵＥ）とも称される、複数の移動局（mobile station）と通信する。
【０００４】
ＬＴＥシステムにおいて、ユーザ端末機（ＵＥ）は、ＵＥの移動性によるハンドオーバを可能にするために、周波数チャネルの品質又は無線信号の強度のような、無線リンク品質を測定する測定を実行することができる。この測定は、ＵＥの現在の動作周波数に従って２個のタイプに区分することができ、この２個のタイプは、周波数内の測定（intra-frequency measurement）及び周波数間／ＲＡＴ間の測定（inter-frequency／inter-RAT measurement）である。
【０００５】
周波数内の測定は、大部分同一の周波数チャネル（同一のキャリア周波数で動作するセル間の）内での移動性のために実行され、他方、周波数間／無線アクセス技術（Radio Access Technology：ＲＡＴ）間の測定は、大部分異なる周波数チャネル間の（すなわち、異なるキャリア周波数で動作するセル間の）移動性のために実行される。
【０００６】
また、周波数間／ＲＡＴ間の測定は、ネットワークにより構成される測定ギャップ（measurement gap）の間に実行される。また、この測定ギャップの間に、両方のアップリンク及びダウンリンク送信は、中断され（例えば、物理アップリンク制御チャネル（Physical Uplink Control Channel：ＰＵＣＣＨ）、物理アップリンク共有チャネル（physical uplink shared channel：ＰＵＳＣＨ）、物理ダウンリンク制御チャネル（physical downlink control channel：ＰＤＣＣＨ）、及び物理ダウンリンク共有チャネル（physical downlink shared channel：ＰＤＳＣＨ）の送信がない。）、したがって、周波数間／ＲＡＴ間の測定は、測定ギャップ内で実行されることができる。
【０００７】
周波数間の隣接セル探索（inter-frequency neighbor cell search）（測定）は、時間ドメインデュプレックス（Time Domain Duplex：ＴＤＤ）及び周波数ドメインデュプレックス（Frequency Domain Duplex：ＦＤＤ）システムの両方に対して、ＬＴＥにおいて６ｍｓのギャップ長さ内で実行される。しかしながら、サービングセルの周波数と新たなセルが検出される必要がある周波数との間のスイッチングのためには、若干の時間が必要とされる。ギャップの残りの時間（６ｍｓより若干小さい）は、サービング周波数以外の、１つ又はそれ以上の構成された周波数で隣接セル探索のために使用されることができる。
【０００８】
周波数間の異種ネットワーク配置は、非同期的であり得、したがって、１個のセルの無線フレームタイミング（radio frame timing）は、他の隣接セルの無線フレームタイミングに合せて調整されない。この測定ギャップは、ＬＴＥ規格（ＴＳ３６．３３１）で標準化されており、４０ｍｓ又は８０ｍｓの周期性を有する。
【０００９】
オフローディング機会（offloading opportunity）を最大にするために、オペレータは、一般的に可能なオフローディング機会に対してピコセル周波数の連続的なスキャニングを構成する。これは、ＵＥがスキャンモード（scan mode）で使用する時間の量を非常に増加させる。
【００１０】
また、スモールセルがマクロセルからユーザをオフローディングする目的のために配置される異種ネットワークシナリオにおいて、現在の規格化された測定ギャップパターン及び測定規則を使用する周波数間の測定の常用は、ＵＥバッテリーを迅速に消費させるのであろう。バッテリー消費は、マクロセル内のピコセル配置密度（Pico cell deployment density）に比例する。
【００１１】
現在定義されているギャップパターンは、元来異種配置と比較する場合に非常に疎らな（sparse）マクロセル唯一配置シナリオ（macro cell only deployment scenario）内の移動性の目的のために設計される。マクロセル唯一配置シナリオで必要とされる場合に、測定ギャップは、高速周波数間／ＲＡＴセル探索を許容し、高速移動性を可能にするために設計され最適化される。さらに、マクロ唯一ネットワーク（macro only network）において、周波数間の測定の使用は、異なる周波数階層にトラフィックをオフローディングするために又は移動性理由のためにネットワークにより必要とされる場合に実行される。
【００１２】
上記で説明したことを考慮すると、周波数間のセル発見の間にＵＥのバッテリー電力消費を最小化するが、これと同時に異種ネットワーク配置で可能なオフローディング機会を譲歩しないメカニズムを提供する方法及びシステムを有することが好ましい。
【発明の概要】
【発明が解決しようとする課題】
【００１３】
本発明の目的は、少なくとも上述した問題点及び／又は不都合に取り組み、少なくとも以下の利便性を提供することにある。すなわち、本発明の目的は、密集した無線セル配置シナリオの下で周波数間のセル検出の間のユーザ端末機のバッテリー電力消費を最小化する方法及びシステムを提供することにある。
【００１４】
本発明の他の目的は、不連続受信サイクルの非活性化時間でユーザ端末機による周波数間のセル検出を検出する方法及びシステムを提供することにある。
【課題を解決するための手段】
【００１５】
上記のような目的を達成するために、本発明の一態様によれば、異種ネットワークにおいて、周波数間のセル検出の間に無線リソース制御（Radio Resource Control：ＲＲＣ）接続モード（connected mode）でユーザ端末機（user equipment：ＵＥ）のバッテリー電力消費を最小化する方法を提供し、上記方法は、上記ネットワークがセル密度に基づいてバックグラウンドスキャン構成（background scan configuration）を上記ユーザ端末機に送信することを決定するステップを含む。また、上記方法は、上記ユーザ端末機が少なくても１つの構成された周波数に対するバックグラウンドスキャン構成を受信することにより、不連続受信（Discontinuous Reception：ＤＲＸ）サイクルの非活性化時間の間に上記構成された周波数でセル探索を開始するステップを含み、上記構成された周波数は、サービング周波数以外の周波数である。その後に、上記方法は、上記バックグラウンドスキャン構成を使用して上記構成された周波数で上記少なくとも１つのセルを検出する。また、上記方法は、上記ユーザ端末機による上記構成された周波数で上記少なくとも１つの検出されたセルの物理セル識別子（physical cell identity：ＰＣＩ）を上記ネットワークに示す。さらに、上記方法は、上記ユーザ端末機が上記ネットワークにより事前に上記ノーマル測定ギャップを使用して構成される場合に、上記ノーマル測定ギャップを活性化させるステップを含む。
【００１６】
本発明の他の態様によれば、異種ネットワークにおいて、周波数間のセル検出の間に無線リソース制御（ＲＲＣ）接続モードでユーザ端末機（ＵＥ）のバッテリー電力消費を最小化するネットワークを提供し、上記ネットワークは、セル密度に基づいてバックグラウンドスキャン構成を上記ユーザ端末機に送信することを決定するように構成される。上記ネットワークは、上記ユーザ端末機のための少なくとも１つの構成された周波数に対する上記バックグラウンドスキャン構成を提供することにより、不連続受信（ＤＲＸ）サイクルの非活性化時間の間に上記構成された周波数でセル探索を開始するように構成され、上記構成された周波数は、サービング周波数以外の周波数である。また、上記ネットワークは、バックグラウンドスキャンに対して構成された、上記構成された周波数で少なくとも１つの検出されたセルの物理セル識別子（ＰＣＩ）を上記ユーザ端末機から受信するように構成される。上記ネットワークは、測定構成で前に提供されていない場合にノーマル測定ギャップを使用して上記ユーザ端末機を再構成するように構成される。また、上記ネットワークは、バックグラウンドスキャンのために構成された、上記構成された周波数で上記ユーザ端末機による少なくとも１つの検出されたセルのＰＣＩを受信する場合に、上記少なくとも１つの構成された周波数に対する測定報告イベント条件（measurement report event condition）を送信するように構成される。最後に、上記ネットワークは、上記測定報告イベント条件の満足に基づいて、上記構成された周波数で上記検出されたセルへの上記ユーザ端末機のハンドオーバを実行するように構成される。
【００１７】
本発明のさらに他の態様によれば、異種ネットワークにおいて、無線リソース制御（ＲＲＣ）接続モードで周波数間のセル検出のためのユーザ端末機（ＵＥ）を提供し、上記ユーザ端末機は、集積回路を含む。また、上記集積回路は、少なくとも１つのプロセッサと少なくとも１つのメモリとを含む。さらに、上記メモリは、上記回路内でコンピュータプログラムコード（computer program code）を含む。上記少なくとも１つのメモリ及び上記少なくとも１つのプロセッサを使用するコンピュータプログラムコードは、上記ユーザ端末機が少なくとも１つの構成された周波数に対するバックグラウンドスキャン構成を上記ネットワークから受信することにより、不連続受信（ＤＲＸ）サイクルの非活性化時間の間に、上記構成された周波数でセル探索を開始するようにし、上記構成された周波数は、サービング周波数以外の周波数である。また、上記ユーザ端末機は、上記バックグラウンドスキャン構成を使用して上記構成された周波数で上記少なくとも１つのセルを検出するように構成される。その後に、上記ユーザ端末機は、上記構成された周波数で上記少なくとも１つの検出されたセルの物理セル識別子（ＰＣＩ）を上記ネットワークに示すように構成される。また、上記ユーザ端末機は、上記ネットワークにより事前に構成される場合には、ノーマル測定ギャップを活性化させ、事前に構成されていない場合には、上記ノーマル測定ギャップを受信するように構成される。最後に、上記ユーザ端末機は、上記構成された周波数に対する測定報告イベント条件を上記ネットワークから受信するように構成される。
【００１８】
ここで、上記実施形態のこのような及び他の側面は、下記の説明及び添付の図面ととともに考慮される場合によりよく認識され理解されるのであろう。しかしながら、好ましい実施形態及びその多くの特定の事項を示す間に、下記の説明は、図示を通してのみ与えられ、限定されないことが理解されるべきである。多くの変更及び修正がその思想を外れることなく、上記実施形態の範囲内でなされることができ、ここで、上記実施形態は、上記のようなすべての修正を含む。
【図面の簡単な説明】
【００１９】
【図１】ここに開示されているような実施形態に従う様々なモジュールを備えるユーザ端末機の構成を示すブロック図である。
【図２】従来技術におけるユーザ端末機による周波数間の測定の好ましいシナリオを示す図である。
【図３】ここに開示されているような実施形態に従うバックグラウンドスキャン構成を使用するユーザ端末機による周波数間のピコセル検出を示す図である。
【図４】ここに開示されているような実施形態に従うユーザ端末機による周波数間のセルの検出に関連するプロセスを説明するフロー図である。
【図５】ここに開示されているような実施形態に従う周波数間のセル検出の間にユーザ端末機でバッテリー電力消費を最小化する方法及びシステムを実現するコンピューティング環境（computing environment）を示す図である。
【発明を実施するための形態】
【００２０】
本発明は、添付の図面で説明され、添付の図面で類似した参照符号は、様々な図で対応するパートを示す。ここで、上記実施形態は、図面を参照して下記の説明からよりよく理解されることができるのであろう。
【００２１】
本発明の実施形態、様々な特徴、及びその有益な具体的な事項は、添付の図面に図示されており、下記の説明で具体化される、限定されない実施形態を参照にしてより完全に説明される。公知のコンポーネント及び処理技術について、本発明の実施形態を不要に曖昧にするおそれがあると判断される場合は、その詳細な説明を省略する。ここで使用される例は、単純に本発明の実施形態が実行される方式の理解を容易にし、また、当該技術分野における当業者が本発明の実施形態を実行することができることを意図する。したがって、ここで使用される実施形態が本発明の範囲を限定するように構成されてはならない。
【００２２】
本実施形態は、異種ネットワーク配置において、周波数間のピコセル発見（inter-frequency pico cell discovery）の間に無線リソース制御（Radio Resource Control：ＲＲＣ）接続モード（connected mode）でユーザ端末機（user equipment：ＵＥ）のバッテリー電力消費を最小化する方法及びシステムを達成する。ＵＥは、明示された周波数に対するバックグラウンドスキャン構成（background scan configuration）をネットワークから受信し、ＵＥは、周波数間のセルを検出するために明示された周波数でバックグラウンドスキャンを実行する。
【００２３】
説明の全体において、マクロセル及びピコセルで構成される用語“ネットワーク”及び“異種ネットワーク”は、交換可能なように使用される。
【００２４】
一実施形態において、バックグラウンドスキャン構成は、バックグラウンドスキャンのためのバックグラウンドスキャン指示子（background scan indicator）と、スキャンの周期性と、周波数でのセルの密度と、周波数のリストとを含む。
【００２５】
通常、ネットワークは、測定構成を使用して周波数間の測定を実行するためにＵＥを構成する。この測定構成は、周波数別測定目的（measurement object）、報告構成、測定識別子、及び測定ギャップ構成を含む。バックグラウンドスキャン構成を通して、ネットワークは、この測定構成（測定目的）に従って、どんな構成された周波数に対してＵＥがバックグラウンドスキャン方法を使用して周波数でセル探索を実行することが予想されるかを示す。このバックグラウンドスキャン指示の受信の時に、ＵＥは、このバックグラウンドスキャン構成でネットワークにより示される周波数で周波数間のセルを検出する。バックグラウンドスキャンモードの間にセルを検出する場合に、ＵＥは、検出されたセルの物理セル識別子をネットワークに示す。その後、ネットワークは、測定構成ですでに提供されていない場合にＵＥに対するノーマルギャップ測定を構成する。これとは異なり、ＵＥは、バックグラウンドスキャンを停止し、ノーマル測定を実行するために測定構成でより早く提供された測定ギャップを適用する。バックグラウンドスキャンのために構成されているＵＥに対するノーマル測定の構成は、この検出又はこのネットワークに対するスモールセルの報告によりトリガーされることができる。
【００２６】
一実施形態において、ノーマル測定の構成は、地理的な領域でピコセル密度に基づいてネットワーク決定によりトリガーされることができる。
【００２７】
また、ＵＥは、このノーマル測定ギャップを適用して他の周波数でこの検出されたセルの基準信号受信電力（Reference signal Received Power：ＲＳＲＰ）及び基準信号受信品質（Reference Signal Received Quality：ＲＳＲＱ）測定を実行する。その後に、ＵＥは、この測定報告イベント条件が満足する場合にこれらの測定をネットワークに報告する。最後に、このネットワークは、ＲＳＲＰ及びＲＳＲＱの測定が満足する場合に、ＵＥをこの検出されたセルにハンドオーバする。
【００２８】
これから、図面を参照して、特に、類似した参照符号が図面にわたって一貫して対応する特徴を示す図１乃至図５を参照して好ましい実施形態を示す。
【００２９】
図１は、ここに開示されているような実施形態に従う様々なモジュールを備えるユーザ端末機の構成を示すブロック図である。図面に図示されているように、ユーザ端末機１００は、通信インターフェースモジュール１０１と、電力モジュール１０１２と、ディスプレーモジュール１０３と、プロセッサモジュール１０４とを含む。通信インターフェースモジュール１０１は、ＵＥがアクセスネットワークに接続されることに役立つ。電力モジュール１０１２は、ユーザ端末機１００でバッテリー情報及びバッテリー電力の状態を保持する。このバッテリー情報は、デバイスが有する充電量とユーザ端末機１００が動作する時区間とを有する。ユーザ端末機１００のディスプレーモジュール１０３は、キーパッドであるか、又はユーザがユーザ端末機１００に一部のデータを入力できる任意の他の手段を通して存在し得るユーザインターフェースで構成される。プロセッサモジュール１０４は、上記のようなプロセッシング、Ｉ／Ｏスキャニング、ロジック、制御及び通信機能をユーザデバイス１００で提供する。プロセッサモジュールは、ＵＥ１００がＵＥ１００のバッテリー電力消費を最小化することにより異種ネットワークで周波数間のピコセルを検出する方式で構成される。このネットワークにより提供されるバックグラウンドスキャン構成は、プロセッサモジュール１０４でＵＥにより実行される。
【００３０】
図２は、従来技術におけるユーザ端末機による周波数間の測定の好ましいシナリオを示す図である。図面に図示されているように、ＵＥ１００は、周波数ｆ１でセル２０１によりサービスされている。ＵＥがセル２０１のカバレッジから遠く移動する場合に、ＵＥ１００は、周波数ｆ２でセル２０２を検出し、ハンドオーバ手順を開始するためにセル２０２の信号強度を測定する。セル２０１、２０２、及び２０３は、それぞれ異なる周波数、すなわち、ｆ１、ｆ２及びｆ３で動作している。通常、このネットワークは、ハンドオーバを可能にするようにするために、この測定構成を使用して周波数間の測定を実行するようにＵＥを構成する。
【００３１】
セル探索は、ＵＥ１００がスイッチオン状態となる場合（初期セル探索）、及びアイドル及び接続（活性化）モードの間（隣接セル探索）に実行される。また、ターゲットセル探索（測定）とも称される隣接セル探索（測定）は、ハンドオーバ又はセル再選択（cell re-selection）のために最適の信号強度を有する候補セルを検索するために周期的に実行される。ＬＴＥシステムにおいて、候補セルは、周波数内又は周波数間のセルであり得る。
【００３２】
また、図２において、セル２０１、２０２、及び２０３は、同種配置シナリオ（マクロ唯一ネットワーク（macro only network））を図示しており、ｓ−測定（s-measure）に基づいている測定規則は、サービングセル１０１からの信号強度がｓ−測定により明示されるしきい値より低い場合に、ＵＥ１００が周波数間の測定を開始するために、周波数間の測定を適切にトリガーする。ＵＥ１００は、測定構成で構成される測定ギャップパターンに従って４０ｍｓ又は８０ｍｓごとに６ｍｓの測定ギャップでセル探索を実行する。マクロ唯一ネットワークでは、この構成された測定ギャップパターンの適用可能性がｓ−測定により管理されるために、ＵＥ１００のバッテリー電力消費に対して深刻な影響がないのであろう。これは、測定ギャップの間に、ＵＥバッテリー電力消費が移動性のために必要とされる場合のみに発生することを意味する。
【００３３】
図３は、異種ネットワーク配置を図示しているマクロセルのカバレッジ内の周波数間のピコセルの配置を示す図である。図面に図示されているように、周波数間のピコセルは、周波数ｆ１で動作するマクロセル３００のカバレッジ内で配置される。ピコセル３０１、３０２、及び３０３は、マクロセルの動作の周波数とは異なる、他の周波数ｆ２で動作している。ピコ周波数階層ｆ２は、人々が密集した領域で、特に、マクロセル３００をオフローディングするために使用されることができる。
【００３４】
現在では、第３世代パートナーシッププロジェクト（3rd Generation Partnership Project：３ＧＰＰ）は、異種ネットワーク配置での向上を研究しており、重要な問題の中の１つは、改善したスモールセル発見（small cell discovery）及び識別のためのストラテジーを識別し評価するものである。スモールセル（ピコセル）の配置は、ネットワーク高密度化（network densification）を取得するもののような様々な理由のために実行されることができ、したがって、より大きなユーザ容量ハンドリング、ＨｅＮＢのサポート、オフローディングのためのホットスポットの配置、及びエンタープライズ（enterprise）配置などを取得できる。ＵＥ１００による周波数間の測定及び与えられた領域で配置されるセルの個数であるネットワーク密度は、ＵＥ１００の電力消費（スモールセル検出の目的のみのために使用されるエネルギー）に影響を及ぼす。
【００３５】
また、現在有用な測定ギャップパターン（４０ｍｓ又は８０ｍｓごとに６ｍｓのギャップ）が周波数間のピコセル検出のために使用される場合に、ＵＥ電力消費に対する影響は、比較的大きな量の、配置されるスモールセルを有する場合でも重要である（また否定的である）。現在定義されている測定ギャップパターンは、移動性のために元来設計されており、この測定ギャップは、マクロセル唯一配置シナリオで必要とされる場合に、高速周波数間又は無線アクセス技術（ＲＡＴ）セル探索及び高速移動性を可能にする測定を許容するために設計され最適化されている。
【００３６】
スモールセルがマクロセル３００からユーザをオフローディングするために、ホットスポットとして配置されるＨｅｔＮｅｔシナリオ（容量シナリオ（capacity scenario））において（図面に示されているように）、現在規格化されている測定ギャップパターン及び測定規則を使用する周波数間の測定の常用は、ＵＥバッテリーを早く消費させるのであろう。
【００３７】
ここでは、異種ネットワークにおいて、周波数間のセル検出の間に無線リソース制御（ＲＲＣ）接続モードでユーザ端末機（ＵＥ）のバッテリー電力消費を最小化する方法が説明される。
【００３８】
一実施形態において、図面に示されているように、ＵＥは、常にマクロセル３００カバレッジを有し、ピコセルに対する周波数間の測定は、４０ｍｓ又は８０ｍｓのノーマル測定ギャップ周期性を使用して実行される必要がない。
【００３９】
ピコセル検出のためのＵＥ１００のバッテリー電力を節約するために、ネットワーク又はマクロセル３００は、長い周期性測定ギャップを使用してＵＥ１００を構成できる。一例において、長い測定ギャップは、１０秒又は６０秒であり得る。このような長い周期性測定ギャップを使用して、ＵＥは、バッテリー電力を節約できる。ピコセルがＵＥ１００により検出される場合に、ネットワークは、４０ｍｓ又は８０ｍｓのノーマル測定ギャップを使用してＵＥ１００を構成する。しかしながら、１０秒又は６０秒まで測定ギャップを増加させることは、この規格に定義されているＵＥに対する新たな測定性能要求事項を必要とするはずであり、これは、このような問題を説明する本発明の意図である。
【００４０】
提案された発明は、ネットワーク又はマクロセル３００によりバックグラウンドスキャン構成で長い周期性測定を提供することにより上記のような制限を説明する。ＵＥ１００は、異種ネットワークにおいて、周波数間のピコセルを検出するための長い周期性測定を含むバックグラウンドスキャン構成を受信する。
【００４１】
一実施形態において、バックグラウンドスキャン構成は、ＵＥ１００が周波数間のピコセルを検出するための、この構成された不連続受信（ＤＲＸ）サイクルの非活性化時間（inactive time）でバックグラウンドスキャンを実行することができることをＵＥ１００に示すバックグラウンドスキャン指示子を含む。このネットワークは、バックグラウンドスキャン構成を通して、測定構成（測定目的）に従ってバックグラウンドスキャン方法を使用してどんな構成された周波数に対してＵＥが周波数でセル探索を実行することが予想されるかを示す。また、バックグラウンドスキャン構成は、スキャンの周期性、周波数でのセルの密度、及びＵＥ１００によるバックグラウンドスキャンのための周波数のリストを含む。
【００４２】
一実施形態において、バックグラウンドスキャン構成は、ブロードキャストメッセージ又は無線リソース制御（ＲＲＣ）再構成メッセージを使用してＵＥに提供される。
【００４３】
一実施形態において、このネットワークは、ブロードキャストメッセージでバックグラウンドスキャン指示子を送信することにより、ＵＥ１００は、この構成されたＤＲＸサイクルの非活性化時間の間に周波数間のピコセル発見のためにバックグラウンドスキャンを開始する。ブロードキャスト指示は、ＵＥ１００が測定構成に従ってサービングセル周波数以外の周波数でセル探索を開始するように要求するトリガーとして動作する。
【００４４】
ブロードキャストメッセージは、ＵＥ１００が測定構成に従ってネットワークにより明示される周波数でセル探索を開始するようにトリガーする。また、ブロードキャストメッセージでバックグラウンドスキャンをトリガーする指示は、このセル又はネットワークですべてのＵＥに対して適用可能である。
【００４５】
他の実施形態において、このネットワークは、この個別的なＵＥが専用メッセージで“スキャン開始（start scan）”指示によりバックグラウンドスキャンを開始することをトリガーし、したがって、ＵＥ１００は、この構成されたＤＲＸサイクルの非活性化時間の間に周波数間のピコセル検出のためのバックグラウンドスキャンを開始する。一実施形態において、上記のようなメッセージは、ＲＲＣ接続再構成メッセージであり得る。このオプションにおいて、このネットワークは、“スキャン開始指示子”、すなわち、バックグラウンドスキャン指示子をＲＲＣ接続再構成メッセージを使用してスキャン周期性及びピコセルが検索されることができる周波数リストとともに送信できる。
【００４６】
一実施形態において、上記のような周波数間の測定の周期性は、ＵＥ１００自身により決定されることができる。
【００４７】
一実施形態において、上記のような周波数間の測定の周期性は、このネットワークにより決定されることができ、ブロードキャストメッセージ又は専用ＲＲＣメッセージを使用してＵＥ１００に示されることができる。
【００４８】
例えば、周波数間の測定の周期性は、１０秒ごとに１回又は１分に１回であり得る。
【００４９】
一実施形態において、周波数のリストは、第３世代パートナーシッププロジェクト（３ＧＰＰ）無線アクセス技術（ＲＡＴ）に属しているＲＡＴ及び非３ＧＰＰ  ＲＡＴ（non 3GPP RAT）に基づくセル配置の周波数階層を示す。
【００５０】
一実施形態において、バックグラウンド周波数間の測定をトリガーする指示（すなわち、バックグラウンドスキャン指示子は、ピコセルのＲＡＴに対応する幾つかのコード−ポイント（code-point）を有することができる。
【００５１】
一実施形態において、ＵＥ１００は、バックグラウンドスキャン指示子に含まれているコード−ポイントに基づいて周波数間のピコセルの周期性又はＲＡＴ間測定を推論できる。
【００５２】
周波数間のピコセルの周期性又はＲＡＴ間のセル探索は、ピコセルの密度に依存的である。
【００５３】
一実施形態において、このネットワークは、ＵＥ１００がこのネットワークにより示されるピコ密度に基づいてスキャンの周期性を推論できるブロードキャストメッセージ又は専用ＲＲＣメッセージを使用してピコ密度を示す。
【００５４】
スキャン周期性及びピコ密度は、ブロードキャストメッセージを使用してネットワークにより示されることができる。
【００５５】
一実施形態において、スキャン周期性及びピコ密度は、システム情報ブロック４（ＳＩＢ４）メッセージを使用してネットワークにより提供されることができる。
【００５６】
一実施形態において、ネットワークは、ピコセルが配置される周波数を示す。一実施形態において、このネットワークは、このネットワークがＵＥがバックグラウンドスキャンの開始を希望する異なる無線アクセス技術（ＲＡＴ）を示す。
【００５７】
一実施形態において、このネットワークがバックグラウンドスキャン構成を送信することにより、ＵＥが周波数間／ＲＡＴ間のバックグラウンドスキャン（測定）をトリガーするようにし、ＵＥは、この構成されたＤＲＸサイクルの非活性化時間の間にセル探索（測定）を実行する。ＵＥ１００は、ＤＲＸサイクルの間に有用な非活性化時間機会（inactive time opportunity）を使用してピコセルを検出するために、いく度の周波数間スキャンを実行することができる。
【００５８】
一実施形態において、特定のＤＲＸサイクルの間に非活性化時間がより多く長い（例えば、数百ｍｓ）場合には、ＵＥ１００は、いく度のスキャンの代わりに単一のスキャンで周波数間のセルを検出できる。
【００５９】
ＵＥ１００が周波数間又はＲＡＴ間のピコセルを検出する場合に、ＵＥ１００は、検出されたピコセル（すなわち、検出されたピコセルの物理セル識別子）を近接指示子（proximity indicator）を通してネットワークに報告する。
【００６０】
一実施形態において、ＵＥ１００は、近接指示メッセージ（proximity indication message）又は専用ＲＲＣメッセージの中の少なくとも１つを通してバックグラウンドスキャン構成を使用してスキャンされた周波数で検出されたセルをネットワークに示す。
【００６１】
ＵＥ１００は、バックグラウンドスキャン構成を使用してスキャンされた周波数で検出されたセルの物理セル識別子（Physical Cell Identity：ＰＣＩ）を近接指示メッセージ又はＲＲＣメッセージでネットワークに示す。ＵＥ１００から近接指示メッセージを受信すると、このネットワークは、前に測定構成で提供されていない場合には、４０ｍｓ又は８０ｍｓのノーマル測定ギャップをＵＥに構成する。他方、ＵＥ１００は、ネットワークによりすでに構成された測定ギャップを活性化させる。
【００６２】
ノーマル測定ギャップがＵＥにより活性化されるか又はネットワークから受信される場合に、ＵＥ１００は、ＤＲＸサイクルの非活性化時間の間に周波数間の測定のためのバックグラウンドスキャンを停止させる。
【００６３】
一実施形態において、この近接指示をこのネットワークに送信した後に、ＵＥ１００は、禁止タイマー（prohibit timer）を開始させる。禁止タイマーが実行されている間にノーマル周波数間の測定ギャップが構成されていない場合には、ＵＥ１００は、バックグラウンドスキャンを持続し、ＵＥ１００がやはり周波数間のピコセルの近接に存在する場合には、禁止タイマーの満了の時に他の近接指示を報告する。
【００６４】
検出されたセルのＰＣＩの受信の時にすでに構成されているノーマル測定ギャップがＵＥ１００又はネットワークにより活性化される場合、ＵＥは、バックグラウンドスキャンを停止させ、ＵＥ１００は、ノーマル測定ギャップを使用して検出されたセルの基準信号受信電力（ＲＳＲＰ）及び基準信号受信品質（ＲＳＲＱ）測定を実行する。ＵＥ１００は、測定報告イベント条件が満足する場合に、ＲＳＲＰ／ＲＳＲＱ測定をネットワークに報告し、ＵＥ１００は、ノーマルハンドオーバ手順を使用して検出されたセルにハンドオーバされる。
【００６５】
一実施形態において、このネットワークは、ＵＥ１００により検出されたピコセルがＸ２ロード情報（X2 load information）を通してローディングされるか否かを決定する。また、このネットワークは、ピコセルでのロードに基づいてＵＥを検出されたピコセルにハンドオーバさせるか否かを決定する。
【００６６】
ＵＥ１００は、点線矢印を使用して図面に示すように、このネットワークにより検出されたピコセル（ピコセル３０１、ピコセル３０２、又はピコセル３０３であり得る）にハンドオーバされる。一実施形態において、ＵＥがピコセルにハンドオーバされると、そのピコセルは、ノーマル測定のためにＵＥを再構成できる。
【００６７】
図４は、ここに開示されているような実施形態に従うユーザ端末機による周波数間のセルの検出に関連するプロセスを説明するフロー図を示す。フロー図４００に示すように、初期には、ＵＥがネットワーク又はマクロセルからバックグラウンドスキャン構成を受信する（４０１）。
【００６８】
一実施形態において、バックグラウンドスキャン構成は、ブロードキャストメッセージ又は無線リソース制御（ＲＲＣ）再構成メッセージを使用してＵＥ１００に提供される。バックグラウンドスキャン構成は、測定構成に従って、ＵＥ１００がサービングセル周波数以外の周波数でセル探索を開始するように要求するトリガーとして動作するバックグラウンドスキャン指示子指示を有する。ＵＥは、この構成されたＤＲＸサイクルの非活性化時間の間に周波数間のセル探索を実行するものと予想される。
【００６９】
さらに、バックグラウンドスキャン構成は、スキャンの周期性、周波数階層でのセルの密度、及びＵＥ１００によるバックグラウンドスキャンに対する周波数のリストを有する。ブロードキャストメッセージ又はＲＲＣ再構成メッセージは、ＵＥ１００がネットワークにより明示された周波数でセル探索又はスキャンを開始するようにトリガーする。
【００７０】
ＵＥは、ＤＲＸサイクルの非活性化時間の間に周波数間／ＲＡＴ間のピコセル発見のためのバックグラウンドスキャンを実行する（４０２）。バックグラウンドスキャンを実行するために、ネットワークにより明示される周波数に従って、ＵＥ１００は、明示された周波数で周波数間又はＲＡＴ間のセルを検出する（４０３）。ＵＥ１００が周波数間又はＲＡＴ間のセルを検出すると、ＵＥ１００は、検出されたセルの物理セル識別子（ＰＣＩ）を含む指示を近接指示子又は専用ＲＲＣメッセージを通してネットワークに送信する（４０４）。
【００７１】
一実施形態において、ＵＥ１００は、バックグラウンドスキャン構成を使用してスキャンされた周波数で検出されたセルを近接指示メッセージ又は専用ＲＲＣメッセージを通してネットワークに示す。ＵＥ１００は、近接指示メッセージ又は専用ＲＲＣメッセージを使用して検出されたピコセルのＰＣＩをネットワークに示す。
【００７２】
また、ＵＥは、すでに測定構成で提供されている場合に、ノーマル測定ギャップを活性化させる。ノーマル測定ギャップが事前に構成されていない場合には、ネットワークは、検出されたピコセルのＰＣＩの受信の時にＵＥ１００に対して４０ｍｓ又は８０ｍｓのノーマル測定ギャップを構成する（４０５）。ＵＥは、ピコセルへのＵＥのハンドオーバの後に、周波数間の測定のために測定ギャップを持続的に使用する。ノーマル測定ギャップを使用して、ＵＥは、検出されたセルのノーマルＲＳＲＰ及びＲＳＲＱ測定を実行する（４０６）。測定報告イベント条件が満足する場合に、ＵＥは、検出されたセルのＲＳＲＰ／ＲＳＲＱ測定をネットワークに報告する。このネットワークは、ノーマルハンドオーバ手順を使用して検出されたピコセルにＵＥ１００をハンドオーバさせる（４０７）。また、このネットワークは、ピコセルでのロードに基づいてＵＥを検出されたピコセルにハンドオーバさせるか否かを決定できる。フロー図４００での様々なアクションは、図示するような順序で実行されてもよく、又は異なる順序あるいは同時に実行されてもよい。さらに、一部の実施形態において、図４にリストされている一部のアクションが省略されてもよい。
【００７３】
一実施形態において、このネットワークは、ＵＥがバックグラウンドスキャンをトリガーリングすることを決定するために示されたしきい値又は事前に構成されたしきい値に基づく規則の集合をＵＥに提供できる。
【００７４】
一実施形態において、そのような規則は、ＵＥ速度、位置識別子（ＩＤ）などの組み合せであり得る。
【００７５】
一実施形態において、この速度が“中間（medium）”であり、位置ＩＤがセルＩＤである場合に、ＵＥは、提供された周波数でバックグラウンドスキャンを開始するであろう。そのような規則は、ブロードキャストメッセージ又は専用メッセージを使用してＵＥに示されることができる。
【００７６】
ＵＥが高いデータレート送信／受信を実行している場合には、ＵＥは、ＤＲＸで構成されることができない。その後に、このネットワークは、専用シグナリングを使用して周波数で新たな周波数間の測定を構成することにより緩和された測定のためにＵＥを構成できる。ＵＥが低いスループットモードに存在する場合に（バックグラウンドデータが存在できるとしても）、このネットワークは、ＵＥをＤＲＸ構成とともにピコ検出のためのバックグラウンドスキャンのために構成できる。ＤＲＸが構成されず、緩和された測定が構成される場合に、残りのステップは、同一となり得る。すなわち、この検出の後に、ＵＥは、近接指示子を送信するはずであり、このネットワークは、順次にピコセルを測定するためにこのギャップパターンを使用してＵＥを構成するはずである。
【００７７】
他の実施形態において、測定構成メッセージ又はブロードキャストメッセージに含まれている、“遅延した又は緩和された検出許容（delayed or relaxed detection allowed）”を示すシンプル新規ビットがＵＥに送信されることにより、信号“遅延した又は緩和された検出許容”が明示された周波数で緩和されたピコセルスキャンをトリガーリングするためにＵＥに送信され得る緩和されたスキャン（測定）又は新たなイベントをトリガーできる。そのような指示は、ＵＥがオーバーラッピングピコセル（overlapping pico-cell）を有するマクロセルに進入した直後にＵＥに送信される。このマクロセルは、任意のオペレーション及びメンテナンス（operation and Maintenance：ＯＡＭ）エンティティ（entity）を通してオーバーラップピコセルの存在を認識できる。
【００７８】
一実施形態において、ＵＥ１００が緩和された検出許容指示（relaxed detection allowed indication）を受信する場合に、この緩和された検出許容指示は、ＵＥが明示された周波数でセルを検出することを考慮すべき最小時間が緩和されることを意味できる。一例において、上記のような緩和は、ＵＥの実現で進行することもあり、又はネットワークが緩和された検出時間バウンド（relaxed detection time bound）を明示することもある。他の例において、スケーリングファクター又はコードポイントは、ネットワークにより提供されることにより遅延バウンドを明示できる。スケーリングファクターに対する一例として、このネットワークは、２Ｘである値を提供でき、この時間値を変数ＸがＵＥに対して関連するようにすることができるか、又はこのネットワークもＸ値を提供できる。また、Ｘの値は、ノーマル検出に対して明示された時間と同一の時間となり得る事前構成最小検出時間でもあり得る。
【００７９】
図５は、ここに開示されているような実施形態に従う周波数間のセル検出の間にユーザ端末機でバッテリー電力消費を最小化する方法及びシステムを実現するコンピューティング環境（computing environment）を示す図である。図示しているように、コンピューティング環境５０１は、制御ユニット５０２、演算論理ユニット（Arithmetic Logic Unit：ＡＬＵ）５０３、メモリ５０５、記憶ユニット５０６、複数のネットワーキングデバイス５０８、及び複数の入力出力（Input output：Ｉ／Ｏ）デバイス５０７を備える、少なくとも１つのプロセッシングユニット５０４を含む。プロセッシングユニット５０４は、アルゴリズムの命令語をプロセッシングする。プロセッシングユニット５０４は、プロセッシングユニット５０４のプロセッシングを実行するために制御ユニットから命令を受信する。また、命令語の実行に関連する論理及び演算動作は、ＡＬＵ５０３の助けでコンピューティングされる。
【００８０】
全体的なコンピューティング環境５０１は、複数の同種及び／又は異種コア、異なる種類の複数のＣＰＵ、特定のメディア、及び他のアクセラレータ（accelerator）で構成されることができる。プロセッシングユニット５０４は、アルゴリズムの命令語をプロセッシングする。また、複数のプロセッシングユニット５０４は、単一のチップ又は複数のチップに位置できる。
【００８１】
実現のために必要とされる命令語及びコードで構成されるアルゴリズムは、メモリユニット５０５又は記憶ユニット５０６又はメモリユニット５０５及び記憶ユニット５０６の両方に記憶される。実行時点において、命令語は、対応するメモリ５０５及び／又は記憶ユニット５０６から検出されることができ、プロセッシングユニット５０４により実行されることができる。
【００８２】
任意のハードウェア具現の場合において、様々なネットワーキングデバイス５０８又は外部Ｉ／Ｏデバイス５０７は、この実現をサポートするためにネットワーキングユニット及びＩ／Ｏデバイスユニットを通してコンピューティング環境に接続されることができる。
【００８３】
ここに開示されている実施形態は、少なくとも１つのハードウェアデバイスで実行され、エレメントを制御するネットワーク管理機能を実行する少なくとも１つのソフトウェアプログラムを通して具現されることができる。図１、図２、図３、及び図５に示すようなエレメントは、ハードウェアデバイス、又はハードウェアデバイスとソフトウェアモジュールとの組み合せの中の少なくとも１つであり得るブロックを含む。
【００８４】
特定の実施形態の上記のような説明は、他人が現在の知識を適用することにより様々なアプリケーションに対して全体のコンセプトから逸脱することなく特定の実施形態を容易に修正及び／又は適応を行えるここでの実施形態の一般的な特性を完全に示すはずであり、したがって、上記のような適応及び修正は、開示されている実施形態の均等物の意味及び範囲内で理解されるべきであり理解されるように意図される。ここで使用される表現及び用語は、説明のためのものであり限定されないことが理解されなければならない。したがって、上述した実施形態が望ましい実施形態の観点で説明されたとしても、上述した実施形態が本発明の思想及び範囲内で修正され実現されることができることは、当該技術分野における通常の知識を持つ者には明らかである。
【符号の説明】
【００８５】
１００  ユーザ端末機
１０１  通信インターフェースモジュール
１０２  ディスプレーモジュール
１０３  プロセッサモジュール
１０４  プロセッサモジュール
２０１  セル
２０２  セル
２０３  セル
３００  マクロセル
３０１  ピコセル
３０２  ピコセル
３０３  ピコセル
５０１  コンピューティング環境
５０２  制御ユニット
５０３  演算論理ユニット（Arithmetic Logic Unit：ＡＬＵ）
５０４  プロセッシングユニット
５０５  メモリ
５０６  記憶ユニット
５０７  入出力（Ｉ／Ｏ）デバイス
５０８  ネットワーキングデバイス
【図１】
2015509688.tif 000003
【図２】
2015509688.tif 000004
【図３】
2015509688.tif 000005
【図４】
2015509688.tif 000006
【図５】
2015509688.tif 000007
【国際調査報告】
2015509688.tif 000008
2015509688.tif 000009